(57)【要約】【課題】      収納部内部に開口部を視認せずに容易に小物などを収納出来る釣り用ケ−スを提供することである。【解決手段】  釣り用ケ−ス１は柔軟性を有する部材の布地で筐形のケ−ス体３と、ケ−ス体３の外側面３ｂの中央側から上方にかけて合成樹脂やゴム等の柔軟性を有するシ−ト状のベ−ス体４が設けられてベ−ス体４に上下方向に延びる収納部αに通じる切開状の開口部４ａが設けられ、ベ−ス体４の周囲は網状部材５で形成されケ−ス体３の内部の収納部αが視認できる様になっており、開口部４ａは自然状態では開口部４ａの両縁部が向かい合う様にして閉じており、開口部４ａ又はその周縁部４ｂをベ−ス体４の弾性に抗し又は柔軟性を利用して収納部α側へ押圧することで開口部４ａが広がり、手を離すと閉じるようになっている。【選択図】        図４
2006325511.tif 000002
【特許請求の範囲】
【請求項１】
内部に収納部を有するケ−ス体に前記収納部に通じる切開状の開口部を設けたことを特徴とする釣り用ケ−ス。
【請求項２】
開口部は該開口部の周縁部を収納部側へ押圧することで広がることを特徴とする請求項１記載の釣り用ケ−ス。
【請求項３】
開口部の周辺は収納部を視認できる部材で形成されていることを特徴とする請求項１または２記載の釣り用ケ−ス。
【発明の詳細な説明】
【技術分野】
【０００１】
本発明は、釣り用ケ−スの改良に関する。
【背景技術】
【０００２】
従来魚釣用バックや釣り用ケ−スは例えば、特許文献１のように、開口に開閉装置が設けられており、その開口に止め具付きの蓋体が設けられたり、チャック等で開閉できる開口を有していた。
しかし、そのような開口に開閉装置を有する釣り用ケ−スは収納したものが脱落しにくいが、止め具を外して蓋を開けたりチャックを開けなければ収納したものの出し入れが出来ないため、釣りをしながらものの出し入れをするには少し時間がかかった。
また、特許文献２のように、ケ−スの開口に伸縮性を有する網状部材を張り巡らせてその網目から浮子等の収納物を取り出せるようにした釣具収納ケ−スが記載されている。
しかし、網目が開いているため収納するものの大きさによって網目の大きさを選ぶ必要があった。
【特許文献１】特開２００４−１９４５５７号公報
【特許文献２】特開２０００−１９７４３７号公報
【発明の開示】
【発明が解決しようとする課題】
【０００３】
解決しようとする問題点は、従来の蓋やチャック付きの開口を有する釣り用ケ−スでは止め具を外して蓋を開けたりチャックを開けなければ収納したものの出し入れが出来ないこと。
ケ−スの開口に伸縮性を有する網状部材を張り巡らせた釣具収納ケ−スでは収納するものの大きさによって網目の大きさを選ぶ必要があることである。
【０００４】
本発明の目的は前記欠点に鑑み、収納部内部に開口部の開閉装置を操作せずに容易に小物などを収納出来る釣り用ケ−スを提供することである。
【課題を解決するための手段】
【０００５】
本発明の請求項１は、内部に収納部を有するケ−ス体に前記収納部に通じる切開状の開口部を設けたことを要旨とするものである。
本発明の請求項２は、開口部は該開口部の周縁部を収納部側へ押圧することで広がることを要旨とするものである。
本発明の請求項３は、開口部の周辺は収納部が視認できる部材で形成されていることを要旨とするものである。
【発明の効果】
【０００６】
本発明の請求項１により、開口部の開閉操作をしながら収納部内にものの収納が素早く行え、釣りを行いながらものの収納が出来る。
本発明の請求項２により、ケ−ス体は柔軟性を有する部材で形成され、開口部は周縁部を収納部側へ押圧することで広がるので、ものが差し込み、取り出しが容易になり、押圧を解除すると開口部が閉じて収納したものの脱落が防止される。
本発明の請求項３により、開口部の周縁部の周辺は収納部が視認できる部材で形成されているので、収納部内のものの収納状態が確認できる。
【発明を実施するための最良の形態】
【０００７】
釣り用ケ−ス１はナイロン、ポリエチレン等の合成樹脂の繊維から成る柔軟性を有する部材の布地で筐形のケ−ス体３と、側部２ａと対向するケ−ス体３の外側面３ｂに設けられたベ−ス体４に切開状の開口部４ａが設けられている。
小物を収納する釣り用ケ−ス１の外側面３ｂは網状部材５で形成されケ−ス体３の内部の収納部αが視認できる様になっており、網状部材５は柔軟性を有している。
この外側面３ｂの中央側から上方にかけて合成樹脂やゴム等の柔軟性を有するシ−ト状のベ−ス体４が取り付けられ、このベ−ス体４に上下方向に延びる収納部αに通じる切開状の開口部４ａが形成されている。
開口部４ａは自然状態では開口部４ａの両縁部が向かい合う様にして閉じており、開口部４ａ又はその周縁部４ｂをベ−ス体４の弾性に抗し又は柔軟性を利用して収納部α側へ押圧することで広がり、手を離して再び自然状態にすると開口部４ａの両縁部が向かい合う様にして閉じるようになっている。
ケ−ス体３の周辺部３ａの上半分にはスライドチャック６で開閉する開口部βが設けられている。
【実施例１】
【０００８】
以下、図示の実施例によって本発明を説明すると、図１から図４は第１実施例で、図１は釣り用ケ−スが取り付けられた釣り用バッグの斜視図、図２は釣り用ケ−スの正面図、図３は（ａ）は図２のＦ（ａ）−Ｆ（ａ）断面線の断面側面図と一部拡大断面側面図で（ｂ）は図２のＦ（ｂ）−Ｆ（ｂ）断面線の断面側面図、図４は釣り用ケ−スの斜視図である。
【０００９】
第１実施例の釣り用ケ−ス１は魚釣用バック２の側部２ａに固定または適宜の係止具で着脱自在に取り付けられている。
釣り用ケ−ス１はナイロン、ポリエチレン等の合成樹脂の繊維から成る柔軟性を有する部材の布地で筐形のケ−ス体３と、魚釣用バック２の側部２ａと対向するケ−ス体３の外側面３ｂに設けられたベ−ス体４に切開状の開口部４ａが設けられている。
小物を収納する釣り用ケ−ス１の外側面３ｂは収納部αが視認できる網状部材５で形成されケ−ス体３の内部の収納部αが網目を通して外側から視認できる様になっており、網状部材５は柔軟性を有している。
この外側面３ｂの網状部材５の中央側から上方にかけて合成樹脂やゴム等の周囲の部材（網状部材５）より厚く、大きな弾性を有するシ−ト状のベ−ス体４が取り付けられ、このベ−ス体４に上下方向に延びる収納部αに通じる切開状の開口部４ａが形成され外側面３ｂの中央から上端部まで略直線状に延びている。
切開状の開口部４ａは自然状態では開口部４ａの両縁部がわずかな間隙を有し互いに向かい合う様にして閉じており、図４の矢印のように開口部４ａ又はその周縁部４ｂをベ−ス体４の弾性に抗し又は柔軟性を利用して収納部α側へ押圧することで広がり、手を離して再び自然状態にすると開口部４ａの両縁部が向かい合う様にして閉じるようになっている。
ケ−ス体３の周辺部３ａの上半分にはスライドチャック６で開閉する開口部βが設けられている。
【００１０】
魚釣用バック２は四角の箱型の容器本体７と容器本体７内の図示しないトレ−と蓋体８とで構成されている。
容器本体７はエチレン酢酸ビニ−ルやポリウレタン等の合成樹脂で一体に形成したり、また、これらの材料のシ−トを貼り合わせて形成し、開口に沿って金属製や合成樹脂製の容器本体７を構成する材料より剛性が大きいフレ−ムを有し、容器本体７の開口をフレ−ムで折り返して固定され、開口の形状が保持されている。
蓋体８は容器本体７と同様にエチレン酢酸ビニ−ルやポリウレタン等の合成樹脂で皿型に形成したり、合成樹脂やゴム等の発泡体の両面をナイロン、ボリプロピレン等の合成樹脂の繊維から成る織布が貼着されたシ−トを熱プレスして一体に凹部を有する皿型に形成されている。
蓋体８の一側奥側にはヒンジ部が設けられて容器本体７の後壁に開閉自在に取り付けられている。
容器本体７の前側には小物入れポケット１０が取り付けられている。
容器本体７の両側上部にはベルト保持部１１が設けられて肩掛けベルト１２が取り付けられている。
【００１１】
釣り用ケ−ス１が使用される時は、例えば開口部４ａから浮子や重り等の釣具を持ったまま開口部４ａ又はその周縁部４ｂを収納部α方向に押圧して開口部４ａを開きながら手に持った釣具を開口部４ａから収納部α内に差し入れて収納し、手を離すことで開口部４ａはベ−ス体４の弾性により開口が閉じられる。
従って片手で開口部４ａを開きものを収納できる。
収納した釣具はこの開口部４ａを押し開いて手を差し込み取り出すことができるが、周面のスライドチャック６で開閉する開口部βを開いて取り出しても良い。
また収納するものは前記釣具以外のものでも良いし、絡んで不要になった釣り糸や釣り糸付きの仕掛け等のごみを収納するのに適している。
例えば釣り糸のごみを開口部４ａから差し込むとごみが弾力で広がろうとするが開口部４ａが閉じようとするため手を放しても開口部４ａの両縁部に挾持され、外方へ出てしまうことが防止される。
したがって、収納部α内に収まるまでごみを押圧すればよく、開閉と収納を片手で行うことができる。
収納したものの状態は外側面が網状部材５で形成され視認できるため収納状態を確認しながら無理な詰め込みが防止でき、物を取り出すときも必要なものを摘むことが出来る。
また、開口部４ａからものを取り出すとすぐに開口部４ａが閉じるため、不要なものが開口部４ａから脱落することが防止できる。
【００１２】
前記のように釣り用ケ−ス１が構成されると、開口部４ａの開閉操作をしながら収納部αにものの収納が素早く行え、仕掛けや浮子の状態を確認するなど釣りを行いながらものの収納が出来る。
ケ−ス体３は柔軟性を有する部材で形成され、開口部４ａは周縁部４ｂを収納部α側へ押圧することで広がるので、ものの出し入れが容易になり、押圧を解除すると開口部４ａが閉じることになるため片手でものの出し入れができる。
開口部４ａの周縁部４ｂの周辺は網状部材５で形成されているので、ケ−ス体３の外側から収納部α内のものの収納状態が視認できる。
【実施例２】
【００１３】
図５は第２実施例で、図５は釣り用ケ−スの斜視図である。
【００１４】
第２実施例では、小物を収納する釣り用ケ−ス１のケ−ス体３の前面の外側面３ｂは透光性を有する合成樹脂シ−ト９で形成されケ−ス体３の内部の収納部αが視認できる様になっており、この合成樹脂シ−ト９は透明で柔軟性を有し、また防水性を有している。
この外側面３ｂの中央側から上方にかけて合成樹脂やゴム等の柔軟性を有するシ−ト状のベ−ス体４が取り付けられ、このベ−ス体４に上下方向に延びる収納部αに通じる切開状の開口部４ａが形成されている。
ベ−ス体４はその周囲の合成樹脂シ−ト９より大きな弾性を有している。
開口部４ａは自然状態では開口部４ａの両縁部が向かい合う様にして閉じており、開口部４ａ又はその周縁部４ｂをベ−ス体４の弾性に抗し又は柔軟性を利用して収納部α側へ押圧することで広がり、手を離して再び自然状態にすると開口部４ａの両縁部が向かい合う様にして閉じるようになっている。
ケ−ス体３の周辺部３ａの上半分にはスライドチャック６で開閉する開口部βが設けられている。
ケ−ス体３の背面には図示しないベルト通しが固定されて腰ベルト１３が挿通されている。
他の構成は前記第１実施例と略同一である。
【産業上の利用可能性】
【００１５】
本発明は釣り用ケ−ス全般に利用できる。
【図面の簡単な説明】
【００１６】
【図１】第１実施例で、釣り用ケ−スが取り付けられた釣り用バッグの斜視図である。
【図２】同釣り用ケ−スの正面図である。
【図３】同（ａ）は図２のＦ（ａ）−Ｆ（ａ）断面線の断面側面図と一部拡大断面側面図で（ｂ）は図２のＦ（ｂ）−Ｆ（ｂ）断面線の断面側面図である。
【図４】同釣り用ケ−スの斜視図である。
【図５】第２実施例で、釣り用ケ−スの斜視図である。
【符号の説明】
【００１７】
１  釣り用ケ−ス
３  ケ−ス体
４  ベ−ス体
４ａ  開口部
４ｂ  周縁部
５、９  収納部が視認できる部材
α  収納部
【図１】
2006325511.tif 000003
【図２】
2006325511.tif 000004
【図３】
2006325511.tif 000005
【図４】
2006325511.tif 000006
【図５】
2006325511.tif 000007